(57)【要約】      （修正有）【課題】  裏紙、パンチ済みの記録紙、ステープル済みの記録紙を含む使用不適記録紙が給紙部にセットされた場合、画像形成しても、ミスコピーとなり、再度コピーし直さなければならず、これを的確に認識し、適切に処理する必要がある。【解決手段】  裏紙、パンチ済みの記録紙、ステープル済みの記録紙を含む使用不適記録紙を識別する使用不適記録紙識別手段３を備え、これを認識して画像形成動作を中止することができる画像形成装置を提供する。【選択図】  図１
2006297706.tif 000002
【特許請求の範囲】
【請求項１】
原稿画像読み取り部にて原稿から読み取った画像データに基づいて、給紙部から給紙された記録紙に対して作像部にて画像形成を行う画像形成装置において、裏紙、パンチ済みの記録紙、ステープル済みの記録紙を含む使用不適記録紙を識別する使用不適記録紙識別手段を備えたことを特徴とする画像形成装置。
【請求項２】
請求項１記載の画像形成装置において、前記使用不適記録紙識別手段は、裏紙センサで構成されることを特徴とする画像形成装置。
【請求項３】
請求項１記載の画像形成装置において、前記使用不適記録紙識別手段は、前記原稿画像読み取り部で構成されることを特徴とする画像形成装置。
【請求項４】
請求項１記載の画像形成装置において、前記使用不適記録紙識別手段は、複数の導電性のある搬送ローラで構成されることを特徴とする画像形成装置。
【請求項５】
請求項１記載の画像形成装置において、前記使用不適記録紙である旨を表示する操作パネルを備えたことを特徴とする画像形成装置。
【発明の詳細な説明】
【技術分野】
【０００１】
本発明は、複写機、プリンタなどの画像形成装置に関する。
【背景技術】
【０００２】
画像形成装置において、裏紙、パンチ済みの記録紙、ステープル済みの記録紙を含む使用不適記録紙が給紙部にセットされた場合、これを認識して画像形成動作を中止する必要がある。
【特許文献１】特開平１１−４４９７６号公報
【発明の開示】
【発明が解決しようとする課題】
【０００３】
使用不適記録紙に画像形成しても、それはミスコピーとなり、再度コピーし直さなければならず二度手間になってしまうため、各種使用不適記録紙が給紙部にセットされた場合、これを的確に認識し、適切に処理する必要がある。
特開平１１−４４９７６号公報には、給紙対象としての記録紙束中に裏紙が混在している場合、或いは裏紙の中に表裏逆の裏紙が存在していた場合に裏紙だけ、或いは表裏逆の裏紙だけを分離して記録しないようにしたり、或いは表裏を逆転給紙して白紙面に記録させるようにした画像形成装置が開示されているが、構成、制御が複雑になるという欠点がある。
本発明は、このような背景に鑑みてなされたものであり、使用不適記録紙を的確に認識することができる画像形成装置を提供することを目的とする。
【課題を解決するための手段】
【０００４】
上記目的を達成するために、請求項１記載の発明は、裏紙、パンチ済みの記録紙、ステープル済みの記録紙を含む使用不適記録紙を識別する使用不適記録紙識別手段を備えた画像形成装置を最も主要な特徴とする。
請求項２記載の発明は、請求項１記載の画像形成装置において、使用不適記録紙識別手段は、裏紙センサで構成される画像形成装置を主要な特徴とする。
請求項３記載の発明は、請求項１記載の画像形成装置において、使用不適記録紙識別手段は、画像読み取り部で構成される画像形成装置を主要な特徴とする。
請求項４記載の発明は、請求項１記載の画像形成装置において、使用不適記録紙識別手段は、複数の導電性のある搬送ローラで構成される画像形成装置を主要な特徴とする。
請求項５記載の発明は、請求項１記載の画像形成装置において、使用不適記録紙である旨表示する操作パネルを備えた画像形成装置を主要な特徴とする。
【発明の効果】
【０００５】
本発明は、裏紙、パンチ済みの記録紙、ステープル済みの記録紙を含む使用不適記録紙を識別する使用不適記録紙識別手段、具体的に、裏紙センサ、画像読み取り部、複数の導電性のある搬送ローラを備えたことにより、使用不適記録紙を的確に認識することができる。
【発明を実施するための最良の形態】
【０００６】
以下、本発明の実施形態を図面に従って説明する。
図１は本発明の第１の実施形態に係る画像形成装置の構成図である。装置本体１の内部に、給紙部２、裏紙を検知する裏紙センサ（フォトセンサ）３、作像部４、定着部５を備え、その上部に画像読み取り部６、自動原稿給紙装置（ＡＤＦ）７を備えている。給紙部２には給紙ローラＡがあり、記録紙搬送経路には搬送ローラＢ１〜Ｂ４が順次配置されている。記録紙は、給紙トレイＴ上の積載記録紙束Ｐの最上面と接しつつ回転する給紙ローラＡによって給紙され、搬送ローラＢ１〜Ｂ４により作像部４、定着部５を通過して搬送され、最後に機外に排紙される。
本発明の特徴的な構成は、原稿画像読み取り部６にて原稿から読み取った画像データに基づいて、給紙部２から給紙された記録紙に対して作像部４にて画像形成を行う画像形成装置において、裏紙、パンチ済みの記録紙、ステープル済みの記録紙を含む使用不適記録紙を識別する使用不適記録紙識別手段３を記録紙搬送経路上に備えた点にある。
本実施形態では、給紙トレイＴ内の積載記録紙束Ｐの上方に裏紙センサ（使用不適記録紙識別手段）３を設けることでミスコピーの防止を図る。まず前提とすることは、プリンタ、複写機等によって記録紙の一面に画像を形成する際に、形成画像とは無関係となる位置に、形成画像の利用を害さない程度のマークを予め形成しておくことである。即ち、記録紙の片面に画像を形成する際に片面が記録済みであることを示すためのマークを常に形成しておくことが前提である。つまり、記録を行う毎に裏紙であることを認識できるようにマークを形成する。
図２は裏紙の例を示す図である。（１）は記録紙Ｐの隅部に小面積の円形のマークＭを付した状態を示している。また（２）は記録紙Ｐの端部に帯状のマークＭを付した記録紙を示している。
なお、このマークＭの色・形状等は任意であり、色は認識できるものであれば特に問わない。例えば、人間の目に見えにくい黄色であっても良い。また形状も認識できるものであれば特に問わず、棒状のものであっても良い。
【０００７】
図３は図１に示す画像形成装置の裏紙センサ近傍の拡大図である。反射型センサで構成される裏紙センサ３が給紙ローラＡの下流側近傍にあって、記録紙Ｐの上面に配置されている。記録紙Ｐが給紙されるとき、裏紙であれば、マークが付されており、その部分が裏紙センサ３の照射光を反射しないため、裏紙であることが検知される。
図４は本発明の実施形態に係る画像形成装置の制御ブロック図である。裏紙センサ３の裏紙検知信号はＩ／Ｏコントローラ１１に取り込まれ、ＣＰＵ（制御手段）１２で処理される。また裏紙画像処理部１３は、裏紙である旨の信号をＩ／Ｏコントローラ１１から受けて負荷（給紙モータ等）を制御する。ＲＯＭ１４、ＲＡＭ１５はプログラムや一時記憶のために使用する。ＣＰＵ１２は操作パネル１６とも接続されている。操作パネル１６には、使用不適記録紙である旨の表示を行う表示手段を備えている。
図５は本発明の実施形態の画像形成装置における第１の制御例を示すフローチャートである。コピー開始（ＳＴＥＰ１）後、マークＭがあるか否かを判断する（ＳＴＥＰ２）。マークＭがなければ通常動作とし、作像・印刷（ＳＴＥＰ８）処理を行い、完了したら終了（ＳＴＥＰ９）とする。マークＭがあった場合は裏紙であることを検知（ＳＴＥＰ３）し、画像データを保留する（ＳＴＥＰ４）。なお、データは保留されるものの、一枚のみ検知しただけではデータ取得ミスも考えられるため、複数回の裏紙チェックをかける。
例えば裏面チェック回数が１０回であれば（ＳＴＥＰ５）、１０回保留されたら確実に裏紙であることを認識し、コピーを中断する（ＳＴＥＰ６）。停止命令が操作パネル１６より取り込まれたら終了する。停止でない場合は、継続という意味で再度コピーを開始する（ＳＴＥＰ７）。
【０００８】
図６は本発明の第２の実施形態に係る画像形成装置の構成図である。第２の実施形態に係る画像形成装置は、図１の第１の実施形態に係る画像形成装置に対して記録紙搬送経路を付け加えたものである（その搬送経路には搬送ローラＢ２’、Ｂ５、Ｂ６が配置される）。また、裏紙検知機能は画像読み取り部６に持たせている。ＡＤＦ７と画像読み取り部６の間には、搬送ローラＢ６から搬送された記録紙Ｐがある。画像読み取り部６の上にセットされている状態を示している。
裏紙を検知するための動作に際しては、記録紙Ｐは、記録紙搬送ローラＢ１〜Ｂ４、新たな搬送ローラＢ５、Ｂ６へと進む。つまり、搬送ローラＢ５、Ｂ６は、定着装置５から排紙部へ導く排紙経路と分岐して上方へ設けられた搬送経路に沿って配置されており、この搬送経路は記録紙をＡＤＦ７内に導入し、ＡＤＦ７に搬送機能を利用してコンタクトガラス上に搬送するように機能する。そして、記録紙Ｐは画像読み取り部６（コンタクトガラス）の上にセットされた状態となる。しかし、ここで記録紙Ｐは搬送ローラＢ６に後端部を挟まれたままの位置で停止するものとする。これは、読み取り終了後、元の位置へ記録紙Ｐを戻し搬送するためのピックアップローラの役割を搬送ローラＢ６に担わせるためである。
この状態で画像読み取り部６により裏紙検知を行う。検知後は記録紙Ｐを搬送ローラＢ５→Ｂ４→Ｂ２’へと戻し搬送し、記録紙を裏返しにして作像を行う。この搬送経路ローラＢ５→Ｂ４→Ｂ２’は、途中で別ルートとなっており、搬送ローラＢ２の上流側に戻し記録紙を送り込むことができるように構成されている。このように構成、制御することで裏紙によるミスコピーを防止することができる。
図７は本発明の実施形態の画像形成装置における第２の制御例を示すフローチャートである。ＳＴＥＰ２を帯状マーク（図２（２））の有無の判断とする以外、図５に示す第１の制御例と同様である。
【０００９】
図８は本発明の実施形態の画像形成装置における第３の制御例を示すフローチャートである。第３の制御例は、金属製ステープル針によって綴じられた文書を検知するものであって、図１記載の裏紙センサ３の替わりに複数の導電性のあるローラを設けた検知部とする。例えば２個の鉄製ローラがあって、ステープル針が２個のローラに接触した際、２個のローラがスイッチの役割を果たし、例えば、トランジスタのスイッチングを利用してディジタル信号としたものをＣＰＵ１２へ伝達させ、ステープル済みの記録紙を認識させる。ＳＴＥＰ２を導通有無の判断とする以外、図５に示す第１の制御例と同様である。
図９は本発明の実施形態の画像形成装置における第４の制御例を示すフローチャートである。第４の制御例は、パンチの有無を検知するものであって、裏紙センサ３をパンチの形成位置に一致するような場所に設置し、パンチを検知する。パンチしているということは一度コピーしたことになるから使用不適記録紙ということになる。ＳＴＥＰ２をパンチ有無の判断とする以外、図５に示す第１の制御例と同様である。
図１０は本発明の実施形態の画像形成装置における第５の制御例を示すフローチャートである。第５の制御例は、裏紙検知結果を操作パネル１６に表示するものである。具体的には、コピー中断後に（ＳＴＥＰ６）、裏紙である旨オペレータに操作パネル１６上で報知する（ＳＴＥＰ７）。
【図面の簡単な説明】
【００１０】
【図１】本発明の第１の実施形態に係る画像形成装置の構成図である。
【図２】裏紙の例を示す図である。
【図３】図１に示す画像形成装置の裏紙センサ近傍の拡大図である。
【図４】本発明の実施形態に係る画像形成装置の制御ブロック図である。
【図５】本発明の実施形態の画像形成装置における第１の制御例を示すフローチャートである。
【図６】本発明の第２の実施形態に係る画像形成装置の構成図である。
【図７】本発明の実施形態の画像形成装置における第２の制御例を示すフローチャートである。
【図８】本発明の実施形態の画像形成装置における第３の制御例を示すフローチャートである。
【図９】本発明の実施形態の画像形成装置における第４の制御例を示すフローチャートである。
【図１０】本発明の実施形態の画像形成装置における第５の制御例を示すフローチャートである。
【符号の説明】
【００１１】
３  裏紙センサ、６  画像読み取り部、ＢＩ〜Ｂ６  搬送ローラ
【図１】
2006297706.tif 000003
【図２】
2006297706.tif 000004
【図３】
2006297706.tif 000005
【図４】
2006297706.tif 000006
【図５】
2006297706.tif 000007
【図６】
2006297706.tif 000008
【図７】
2006297706.tif 000009
【図８】
2006297706.tif 000010
【図９】
2006297706.tif 000011
【図１０】
2006297706.tif 000012